(57)【特許請求の範囲】
【請求項１】
受精直後から胚盤形成前の発生段階のスズキ目に属する魚類の受精卵の細胞質中に、核酸をランダムに注入することを含む、遺伝子導入された魚類胚又は当該胚由来の魚、或いは当該胚又は当該魚の子孫の製造方法であって、ここで魚類受精卵の発生段階が、２０℃にて受精後０〜２０分のブリ受精卵、又は２０〜２５℃にて受精後０〜２０分のブルーギル受精卵の発生段階に相当する製造方法。
【請求項２】
魚類受精卵の発生段階が、２０℃にて受精後０〜１０分のブリ受精卵、又は２０〜２５℃にて受精後０〜１０分のブルーギル受精卵の発生段階に相当する、請求項1記載の製造方法。
【請求項３】
核酸がRNAである、請求項1又は2に記載の製造方法。
【請求項４】
RNAが、ｓｉＲＮＡ、ｍｉＲＮＡ、ｓｈＲＮＡ、ｍＲＮＡ、アンチセンスＲＮＡ、ＲＮＡレプリコン、crRNA、tracrRNA及びsgRNAからなる群から選択されるいずれかである、請求項3に記載の製造方法。
【請求項５】
核酸が、Cas9の発現ベクター又はmRNAと、ガイドRNA又はその発現ベクターとの組み合わせ、或いはTALENの発現ベクター又はmRNAを含む、請求項1又は2記載の製造方法。
【発明の詳細な説明】
【技術分野】
【０００１】
本発明は、魚の受精卵に核酸を顕微注入する技術に関する。
【背景技術】
【０００２】
従来の顕微注入法では、遺伝子改変効率を上げるためにDNAやRNA等の核酸を魚受精卵の胚盤（最初の1細胞）あるいはその近傍を狙って一卵ずつ直接顕微注入するのが主流である。メダカ、トラフグ、サケマスなどのように、ふ化までに発生が十分進んだ状態でふ化する魚種や、ゼブラフィッシュやキンギョなどのように、自分自身で効率よく摂餌を行えるまで卵黄だけで十分成長できる魚種などでは稚魚までの生残率が高く、注入卵数に対して得られる稚魚の数は比較的多い。しかし、未熟な状態でふ化しかつ卵黄量もそれほど多くないブリ類などの魚種では、人工飼育下では稚魚までの生残率が低く、条件が良い場合でも、概ね歩留まりは50-60％程度といわれており、得られる稚魚の数は少ない。
【０００３】
魚卵への核酸の顕微注入技術は、応用研究分野である水産学のみならず、発生生物学、分子生物学、環境科学、基礎医学等の基礎生物分野においても広く利用されている汎用技術である。これまでブリ類の様な未熟ふ化卵については、多くの海産魚の人工飼育下での生残率がサケマスやメダカ等の小型実験魚の様に高くないため、顕微注入の実施例は、我が国でもそれほど多くはなかった。しかし、近年のゲノム編集技術の発達により、魚卵への顕微注入は改めて脚光を浴び、トラフグ、マダイなどの海産魚で顕微注入の試験研究報告が多くなり始めている。
【発明の概要】
【発明が解決しようとする課題】
【０００４】
ブリ類のような初期飼育での生残率が低い魚種においては、各種試験を行う際や顕微注入魚を成魚にまで成育させるためには、初期飼育が容易な魚種（例えば、メダカやゼブラフィッシュあるいはトラフグなど）より、より多くの顕微注入卵を確保することが必要かつ重要なポイントとなる。従来の一般的な顕微注入手法では、顕微注入前に卵を一つ一つピンセット等で回転させ、胚盤を上面に向けてから胚盤を狙って顕微注入を行う作業が必要で、大変煩雑であると同時に作業の効率性は非常に低かった。習熟した作業者でも、一時間に100個体（卵）程度の注入が限度といわれている。しかも作業者が習熟するまでには多くの経験、練習時間が必要で、またその習熟度や技術も個人個人で異なるため、安定な実験データを得るためには、多大な試験の繰り返しと時間が必要であった。そのため、従来の胚盤を狙う注入手法に代わり、より効率的かつ大量処理できる、しかも誰でも容易に取り組める新たな顕微注入技術の開発が潜在的に望まれていた。
【課題を解決するための手段】
【０００５】
本発明者らは、上記課題を解決するべく鋭意検討の結果、胚盤形成前の受精卵（特に、受精直後から受精後20分以内、好ましくは受精直後から受精後10分以内の付活卵）の細胞質中に核酸を顕微注入すれば、効率的に、大量の受精卵へ核酸を顕微注入することができ、また高い核酸導入効率を達成できることを見出した。この時期の受精卵の細胞質中に、人工ヌクレアーゼのRNAをランダムに注入すると、胚体のゲノム（個体を形成する1組の全遺伝情報）に変異を高い割合で導入することができた。細胞質は、胚盤形成前の受精卵の大部分を占めるので、卵内の特定の場所を狙う必要なく（即ち、ランダムに）、一度に多数の受精卵に対して顕微注入を行うことができた。注入前に一つ一つ卵の向きを変える必要がなく、特定の部位（胚盤等）を狙う必要がないため、短い作業時間で、容易に、多数の受精卵へ核酸を顕微注入することができた。
【０００６】
受精直後から胚盤が形成される前の期間の中でも、特に、初期の発生段階（例えば、ブリでは20℃でおよそ受精後0-20minの間、ブルーギルでは20-25℃で0-20minの間）において、導入効率が高かった。また、この発生段階に顕微注入した受精卵はその後のふ化率が、他の発生段階に比べて相対的に高く、卵へのストレスを比較的少なくできることが示唆された。
【０００７】
発明者らは、上記知見に基づき更に検討を加え、本発明を完成するに至った。
即ち、本発明は下記の通りである：
【０００８】
［1］受精直後から胚盤形成前の発生段階の魚類受精卵の細胞質中に、核酸を注入することを含む、遺伝子導入された魚類胚又は当該胚由来の魚、或いは当該胚又は当該魚の子孫の製造方法。
［2］魚類受精卵の発生段階が、２０℃にて受精後０〜２０分のブリ受精卵、又は２０〜２５℃にて受精後０〜２０分のブルーギル受精卵の発生段階に相当する、［1］記載の製造方法。
［3］魚類受精卵の発生段階が、２０℃にて受精後０〜１０分のブリ受精卵、又は２０〜２５℃にて受精後０〜１０分のブルーギル受精卵の発生段階に相当する、［1］又は［2］記載の製造方法。
［4］核酸がRNAである、［1］〜［3］のいずれかに記載の製造方法。
［5］RNAが、ｓｉＲＮＡ、ｍｉＲＮＡ、ｓｈＲＮＡ、ｍＲＮＡ、アンチセンスＲＮＡ、ＲＮＡレプリコン、crRNA、tracrRNA及びsgRNAからなる群から選択されるいずれかである、［1］〜［4］のいずれかに記載の製造方法。
［6］核酸が、Cas9の発現ベクター又はmRNAと、ガイドRNA又はその発現ベクターとの組み合わせ、或いはTALENの発現ベクター又はmRNAを含む、［4］記載の製造方法。
［7］魚類が、スズキ目に属する魚類である、［1］〜［6］のいずれかに記載の製造方法。
【発明の効果】
【０００９】
本発明によれば、効率的に、大量の魚類の受精卵へ核酸を顕微注入することができ、また高い核酸導入効率を達成できる。一つ一つ注入前に卵の向きを変える必要がなく、特定の部位（胚盤等）を狙う必要がないため、短い作業時間で、容易に、多数の受精卵へ核酸を顕微注入することができる。特に、ブリ類の様な未熟な状態（体表や眼球への黒色素が見られず透明でかつ遊泳力もほとんどない仔魚の発達段階）でふ化する卵（受精後48-72時間程度でふ化する魚種に多い）については、ふ化後の生残率が低いため、顕微注入卵から発生した成魚を多数得ようとすると、極めて多数の顕微注入卵を用意する必要があったが、本発明においては、このような難生産性の魚種においても簡便かつ効率的に多数の顕微注入を確保することが可能となる。
【図面の簡単な説明】
【００１０】
【図１】ブリ受精卵へ核酸を顕微注入する時期の検討結果を示す。左上グラフは、様々な時期の受精卵へGFP mRNAを顕微注入した場合の胚軸期生残率（％）を示す。右上グラフは、様々な時期の受精卵へGFP mRNAを顕微注入した場合の総胚体導入率（％）を示す。左下写真は、ブリ受精卵の卵割の様子を示す。右下写真は、受精後０〜１０分のブリ受精卵へGFP mRNAをランダム法で顕微注入した場合のGFPの発現を示す。
【図２】様々な時期のブリ受精卵へGFP mRNAを顕微注入した場合の胚体へのGFP導入成功率を示す。
【図３】ゲノム編集によるブリslc24a5遺伝子への変異の導入結果を示す。
【図４】様々な時期のブルーギル受精卵へGFP mRNAを顕微注入した場合の胚体へのGFP導入成功率（上表）、及びGFPを発現する胚体（下写真）を示す。
【図５】ブルーギルfoxl2の推定ゲノム構造を示す。
【図６】ブルーギルfoxl2の推定ゲノム構造、ORFヌクレオチド配列、及びそれにコードされる推定アミノ酸配列を示す。
【図７】遺伝子編集によるブルーギルfoxl2遺伝子への変異の導入を確認した結果を示す。PAM配列の3〜4残基上流での切断により、上下流6〜13残基が欠損している。
【発明を実施するための形態】
【００１１】
本発明は、受精直後から胚盤形成前の発生段階の魚類受精卵の細胞質中に、核酸を注入することを含む、遺伝子導入された魚類胚又は当該胚由来の魚、或いは当該胚又は当該魚の子孫の製造方法を提供するものである。
【００１２】
本発明において、「遺伝子導入」とは、注入された核酸に起因して、ゲノムDNAのヌクレオチド配列が改変される態様のみならず、注入された核酸がゲノムDNAに取り込まれずに、一過性に細胞内に存在する態様をも包含する。また、本発明において、「遺伝子導入」には、形質の改変を伴う態様と伴わない態様の双方が包含される。
【００１３】
本発明の製造方法を適用することのできる魚類の種類は、特に限定されず、例えば、食用魚類としては、スズキ目（ブリ、マダイ、スズキ、ハタ、ティラピア、アジ、サバ、マグロ、ブルーギル等）、ニシン目（ニシン、イワシ等）、ボラ目（ボラ、ペへレイ等）、タラ目（マダラ等）ウナギ目（ウナギ、アナゴ等）、サケ目（アユ、ニジマス、大西洋サケ等）コイ目（コイ、ソウギョ、ドジョウ等）、ナマズ目（ナマズ等）、カレイ目（ヒラメ、カレイ等）、フグ目（トラフグ、カワハギ等）、カジカ目（カサゴ、メバル等）、ダツ目（サンマ等）等が挙げられる。また、鑑賞用魚類としては、コイ、フナ、メダカ、キンギョ、ゼブラフィッシュ等が挙げられる。さらに、研究又は実験用魚類として、ゼブラフィッシュ、メダカ、キンギョ、ドジョウ、トゲウオ、ミドリフグ等が挙げられる。
【００１４】
特に、スズキ目（ブリ、マダイ、スズキ、ハタ、ティラピア、アジ、サバ、マグロ、ブルーギル等）、ニシン目（ニシン、イワシ等）、ボラ目（ボラ、ペへレイ等）、タラ目（マダラ等）、カレイ目（ヒラメ、カレイ等）、カジカ目（カサゴ、メバル等）、ダツ目（サンマ等）等、好ましくはスズキ目（ブリ、マダイ、スズキ、ハタ、ティラピア、アジ、サバ、マグロ、ブルーギル等）の様に、未熟な状態でふ化し、ふ化後に高い死亡率を示す魚類においては、顕微注入卵から発生した成魚を多数得ようとすると、極めて多数の顕微注入卵を容易する必要があったが、本発明においては、このような難生産性の魚種においても簡便かつ効率的に多数の顕微注入を確保することが可能となり、有利である。
【００１５】
本発明の製造方法は、受精直後から胚盤形成前の発生段階の魚類受精卵の細胞質中に、核酸を注入することを特徴とする。
【００１６】
魚類の卵は、受精をすると、卵膜が卵から浮き上がり、さらに卵の動物極に卵全体から細胞質が集まってきて、１細胞からなる胚盤が形成される。本発明において「胚盤形成前」とは、この１細胞からなる胚盤が形成される前の発生段階を意味する。受精卵の発生段階が「胚盤形成前」であるか否かは、受精卵を顕微鏡下で観察し、１細胞からなる胚盤の形成の有無を観察することにより、確認することができる。ブルーギルでは、一般に、至適温度（２０〜２５℃）で、受精から４０分程度で１細胞からなる胚盤が完成し、ブリでは、一般に、至適温度（２０℃）で、受精から４０分程度で１細胞からなる胚盤が完成するので、このような胚盤形成に要する時間を目安にしてもよい。
【００１７】
核酸の導入効率を高くする観点から、受精直後から胚盤が形成される前の発生段階の中でも、できる限り初期の発生段階において、受精卵への核酸の注入を行うことが好ましい。顕微注入した受精卵のその後のふ化率が、顕微注入の時期が遅れるほど低下するため、できる限り初期の発生段階において、受精卵への核酸の注入を行うことにより、卵へのストレスを少なくし、顕微注入後のふ化率を上昇させることができる。そこで、明瞭な胚盤が形成される前の段階、例えば、至適温度（２０℃）にて受精後０〜２０分（好ましくは０〜１０分）のブリ受精卵、又は至適温度（２０〜２５℃）にて受精後０〜２０分（好ましくは０〜１０分）のブルーギル受精卵の発生段階に相当する、発生段階の受精卵に核酸を注入する。
【００１８】
一態様において、至適温度にて、受精から１細胞からなる胚盤の形成までに要する期間の１／２以下、好ましくは１／４以下の発生段階に相当する、発生段階の受精卵に核酸を注入する。
【００１９】
本発明の製造方法においては、受精卵の細胞質に核酸を注入する。細胞質は、胚盤形成前の受精卵の大部分を占めるので、卵内の特定の場所を狙う必要なく（即ち、ランダムに）、簡便に、受精卵に核酸を注入することができる。
【００２０】
本発明において、受精卵に注入する核酸の種類は、特に限定されず、核酸としては、特に制限はなく、ＤＮＡ、ＲＮＡ、ＤＮＡとＲＮＡのキメラ核酸、ＤＮＡ／ＲＮＡのハイブリッド等いかなるものであってもよい。また、核酸は１〜３本鎖のいずれも用いることができるが、好ましくは１本鎖又は２本鎖である。核酸は、プリンまたはピリミジン塩基のＮ−グリコシドであるその他のタイプのヌクレオチド、あるいは非ヌクレオチド骨格を有するその他のオリゴマー（例えば、市販のペプチド核酸（ＰＮＡ）等）または特殊な結合を含有するその他のオリゴマー（但し、該オリゴマーはＤＮＡやＲＮＡ中に見出されるような塩基のペアリングや塩基の付着を許容する配置をもつヌクレオチドを含有する）などであってもよい。さらには公知の修飾の付加されたもの、例えば当該分野で知られた標識のあるもの、キャップの付いたもの、メチル化されたもの、１個以上の天然のヌクレオチドを類縁物で置換したもの、分子内ヌクレオチド修飾のされたもの、例えば非荷電結合（例えば、メチルホスホネート、ホスホトリエステル、ホスホルアミデート、カルバメートなど）を持つもの、電荷を有する結合または硫黄含有結合（例えば、ホスホロチオエート、ホスホロジチオエートなど）を持つもの、例えば蛋白質（ヌクレアーゼ、ヌクレアーゼ・インヒビター、トキシン、抗体、シグナルペプチド、ポリ−Ｌ−リジンなど）や糖（例えば、モノサッカライドなど）などの側鎖基を有しているもの、インターカレント化合物（例えば、アクリジン、プソラレンなど）を持つもの、キレート化合物（例えば、金属、放射活性をもつ金属、ホウ素、酸化性の金属など）を含有するもの、アルキル化剤を含有するもの、修飾された結合を持つもの（例えば、αアノマー型の核酸など）であってもよい。
【００２１】
ＤＮＡの種類は、使用の目的に応じて適宜選択することができ、特に限定されないが、例えばプラスミドＤＮＡ（例えば、コードされている特定のタンパク質や機能的RNAを注入対象の受精卵が由来する魚類の細胞内で発現する発現ベクター）、ｃＤＮＡ、アンチセンスＤＮＡ、染色体ＤＮＡ、ＰＡＣ、ＢＡＣ等が挙げられ、好ましくはプラスミドＤＮＡ（例えば、コードされている特定のタンパク質や機能的RNAを注入対象の受精卵が由来する魚類の細胞内で発現する発現ベクター）、ｃＤＮＡ、アンチセンスＤＮＡであり、より好ましくはプラスミドＤＮＡ（例えば、コードされている特定のタンパク質や機能的RNAを注入対象の受精卵が由来する魚類の細胞内で発現する発現ベクター）である。プラスミドＤＮＡ等の環状ＤＮＡは適宜制限酵素等により消化され、線形ＤＮＡとして用いることもできる。
【００２２】
ＲＮＡの種類は、使用の目的に応じて適宜選択することができ、特に限定されないが、例えばｓｉＲＮＡ、ｍｉＲＮＡ、ｓｈＲＮＡ、アンチセンスＲＮＡ、メッセンジャーＲＮＡ（コードされている特定のタンパク質を注入対象の受精卵が由来する魚類の細胞内で発現するｍＲＮＡ）、crRNA、tracrRNA、sgRNA（crRNAとtracrRNAの融合RNA）、一本鎖ＲＮＡゲノム、二本鎖ＲＮＡゲノム、ＲＮＡレプリコン、トランスファーＲＮＡ、リボゾーマルＲＮＡ等が挙げられ、好ましくはｓｉＲＮＡ、ｍｉＲＮＡ、ｓｈＲＮＡ、ｍＲＮＡ（コードされている特定のタンパク質を注入対象の受精卵が由来する魚類の細胞内で発現するｍＲＮＡ）、アンチセンスＲＮＡ、ＲＮＡレプリコン、crRNA、tracrRNA、sgRNA（crRNAとtracrRNAの融合RNA）である。
【００２３】
本発明においては、好ましくは、RNAが受精卵へ注入される。RNAの方が、タンパク質として発現されるまでの時間が短い、一般的に細胞毒性が低く、より高濃度で注入ができる、胚体内でモザイク状に発現されてしまう率がDNAよりも低い、等の理由による。
【００２４】
一態様において、本発明の製造方法は、ゲノム編集による遺伝子改変魚類胚又は当該胚由来の遺伝子改変魚類、或いは当該胚又は当該魚類の子孫の製造方法である。ゲノム編集（Genome Editing）とは、CRISPR/CasシステムやTranscription Activator-Like  Effector Nucleases（TALEN）等の技術により遺伝子特異的な破壊やレポーター遺伝子のノックイン等を行う遺伝子改変技術である。
【００２５】
CRISPR/Cas9ゲノム編集システムでは、一般的には、Cas9（DNA切断酵素）の発現ベクター又はmRNAと、ポリメラーゼIIIプロモーター等の制御下でガイドRNAを発現する発現ベクター又はガイドRNA自体を、受精卵に注入する。ガイドRNAは、標的ゲノム配列に相補的なRNA (crRNA)とtracrRNAとの融合RNAであり得る。標的ゲノム配列の3'末端にプロトスペーサー近接モチーフ（PAM - 配列NGG）が存在すると、Cas9がDNA二本鎖を解離させ、ガイドRNAによってターゲット配列を認識して両方の鎖を切断し、切断部位が修復される過程で変異が導入される。
【００２６】
Transcription activator-like effector nuclease（TALEN）は植物病原菌Xanthomonas spp.が生産するTAL effector のDNA結合ドメインとFokIヌクレアーゼのDNA切断ドメインを融合した人工ヌクレアーゼである。DNA結合ドメインは34アミノ酸の繰り返し配列からなり、1リピートが標的DNAの1塩基を認識する。繰り返し配列中の12，13番目のアミノ酸はrepeat variable di-residues（RVD）と呼ばれ，この配列によって標的塩基が決定される。二組のTALEN分子がゲノム上の特定の配列上に向き合うように設計することで，標的配列上でFokIドメインが二量体化しヌクレアーゼ活性を示す。切断されたDNA二重鎖は細胞内在の機構によって修復されるがその過程で変異が導入される。TALENによるゲノム編集を行う場合には、TALENの発現ベクター又はmRNAを受精卵に注入する。
【００２７】
目的とする標的ゲノム配列に特異的なガイドRNAやTALENは、公知のソフトウェア等を使用して、当業者であれば、容易に設計することができる。
【００２８】
受精卵への核酸の注入は、マイクロキャピラリーを用いて、核酸の水溶液を受精卵の細胞質中に注入することにより行う。注入量は受精卵の体積の10％以下にすることが好ましい。
【００２９】
核酸を注入した受精卵は、胚発生可能な条件下で引き続き維持することにより、ふ化する。
【００３０】
以下の実施例により本発明をより具体的に説明するが、実施例は本発明の単なる例示を示すものにすぎず、本発明の範囲を何ら限定するものではない。
【実施例】
【００３１】
［試験例1］
＜ブリ卵の顕微注入時期の検討＞
様々な時期のブリ受精卵に対して、GFPを発現するmRNAを顕微注入し、胚体内でのGFPの発現（図１、右下写真）を観察することにより、GFP導入効率を比較した。注入時の受精卵の時期として、受精直後から１０分以内（０〜１０分（付活卵））、受精から１０分経過後２０分以内（１０〜２０分）、受精から２０分経過後４０分以内（２０〜４０分）、受精から４０分経過後６０分以内（４０〜６０分）の４群を設けた。ブリは、一般に、受精から４０分程度で１細胞からなる胚盤が完成し、６０分程度で２細胞へと卵割する（２０℃条件）（図１、左下写真）。０〜１０分、１０〜２０分、及び２０〜４０分のそれぞれの群においては、mRNAを卵の細胞質中にランダムに顕微注入し（ランダム法）、４０〜６０分の群においては、mRNAを胚盤内へ顕微注入した（従来法）。
その結果、胚軸期生残率（胚軸期に生残している胚体数／インジェクション数）は、ランダム法を用いた場合、０〜１０分の群は、インジェクションなしの群とほぼ同等であったが、時間経過とともに低下した。従来法を用いた場合（４０〜６０分の群）、胚軸期生残率は、インジェクションなしの群とほぼ同等であった（図１、左上グラフ）。
一方、総胚体導入率（胚体全体に亘ってＧＦＰを発現している胚体数／インジェクション数）は、０〜１０分の群にランダム法を適用した場合が最も高かった（図１、右上グラフ）。
ＧＦＰ導入成功率（ＧＦＰ陽性胚体数／胚体形成卵数、又はＧＦＰ陽性胚体数／インジェクション数）は、いずれの群も同等であった（図２）。
【００３２】
以上の結果から、ブリの付活卵（受精後０〜１０分）において、卵のランダムな場所に顕微注入したときに、高い効率で胚体中でＲＮＡを発現させることができることが明らかとなった。
【００３３】
［試験例2］
＜ブリslc24a5遺伝子のゲノム編集＞
ブリslc24a5ゲノム配列に基づき、CRISPR/Cas9システムで遺伝子を切断・破壊するための特異的なガイドRNA（sgRNA）を設計した。slc24a5に対するsgRNAであるCRISPR6（配列番号1：GCUUCUUCACGGUGCAGGAG）を含むガイドRNA（サーモフィッシャー）を、Cas9のmRNA（サーモフィッシャー GeneArt（登録商標）CRISPR nuclease mRNA）と共に、ブリ付活卵（受精後０〜１０分）の細胞質中へ顕微注入すると、slc24a5ゲノム中に変異が導入された子孫個体が多数得られた。独立した４回の試験を行い、個体内ゲノム編集効率は12.5〜50%だった。塩基配列の欠損数は、１〜２１塩基だった（図３）。
【００３４】
［試験例3］
＜ブルーギル卵の顕微注入時期の検討１＞
様々な時期のブルーギル受精卵に対して、GFPを発現するmRNAを顕微注入し、胚体内でのGFPの発現（図４下写真）を観察することにより、GFP導入効率を比較した。注入時の受精卵の時期として、受精直後から２０分以内（０〜２０分）、受精から２０分経過後４０分以内（２１〜４０分）、受精から４０分経過後６０分以内（４１〜６０分）の３群を設けた。ブルーギルは、一般に、受精から４０分程度で１細胞からなる胚盤が完成する（２０〜２５℃条件）（図４下写真）。０〜２０分、２１〜４０分のそれぞれの群においては、mRNAを卵の細胞質中へランダムに顕微注入し（ランダム法）、４１〜６０分の群においては、mRNAを胚盤内へ顕微注入した（従来法）。
その結果、68.8〜97.6％の効率で、RNAが導入された胚体（GFP陽性胚体）が得られた（図４）。
【００３５】
［試験例4］
＜ブルーギル卵の顕微注入時期の検討２＞
様々な時期のブルーギル受精卵に対して、GFPを発現するmRNAを顕微注入し、胚体内でのGFPの発現を観察することにより、GFP導入効率を比較した。注入時の受精卵の時期として、受精直後の付活卵から胚盤形成前、胚盤形成後（１細胞期、２細胞期、４細胞期）の４群を設けた。受精直後の付活卵から胚盤形成前の群においては、mRNAを卵の細胞質中へランダムに顕微注入し（ランダム法）、胚盤形成後（１細胞期、２細胞期、４細胞期）の群においては、mRNAを胚盤内へ顕微注入した（従来法）。試験に使用するブルーギルの全ての卵を、同時に受精させ、同一作業者が、経時的に、各発生段階の受精卵への顕微注入を行った。
【００３６】
受精直後の付活卵から胚盤形成前の群における顕微注入は、操作が容易なため、４０個の受精卵へ注入した時点（１〜２分）で、顕微注入を一旦停止した。胚盤形成後（１細胞期、２細胞期、４細胞期）の群においては、胚盤への注入に時間を要するため、各発生段階の全ての期間において、顕微注入操作を継続した。
【００３７】
その結果、GFP発現率を比較すると、従来法がランダム法よりも高かったが、ランダム法は胚盤や割球の位置等を確認したり調整したりすることが不要なことから、従来法と比較して作業効率が極めて高いため、最終的に作出したGFP導入個体数は、ランダム法が最も多かった。
【００３８】
【表１】
0006780213.tif 000002
【００３９】
この結果から、ランダム法は、大量の受精卵に核酸を導入する方法として優れていることが示された。特に、ブルーギルやブリ等のスズキ目のように受精後２〜３日で（眼球黒化もはじまっておらず、遊泳力もほとんどない未熟な状態で）孵化し、孵化後に高い死亡率を示す魚種にとって、数百から数千の卵に核酸を顕微注入するのにランダム法は適していることが示唆された。
【００４０】
［試験例5］
＜ブルーギルのfoxl2、fshr塩基配列決定、及びfoxl2への変異の導入＞
ブルーギルの全ゲノム配列を決定し、雌成熟関連遺伝子 foxl2の塩基配列を探索した。foxl2の推定ゲノム構造を図5及び6に示す。また、foxl2の推定cDNA配列を配列番号2に、推定アミノ酸配列を配列番号3に、それぞれ示す。ブルーギルfoxl2のORFは、918塩基からなり（終始コドン含む）、イントロンを含まないと推定された。ブルーギルfoxl2ゲノムのヌクレオチド配列は、ヨーロピアンシーバスのfoxl2と高い相同性を有していた。
【００４１】
獲得したブルーギルfoxl2ゲノム配列に基づき、CRISPR/Cas9システムでfoxl2遺伝子を切断・破壊するための特異的なガイドRNA（crRNA）であるfoxl2_g1（配列番号4）を設計した。foxl2_g1（配列番号4）を、Cas9（人工ヌクレアーゼ）のmRNA（addgene（pCS2+hSpCas9）のCas9 RNA又はサーモフィッシャー GeneArt（登録商標）CRISPR nuclease mRNA）とガイドRNAとなるtracrRNAと共に、ブルーギルの受精後0〜20分の付活卵の細胞質中にランダムに顕微注入すると、foxl2ゲノム中に変異が導入された子孫個体が多数得られた（図７）。HMA (heteroduplex mobility assay)法により、FOXL2タンパク質に変異が導入された個体が高い効率で作出されたことを確認した（表２）。条件によっては、７０〜９０％以上の高い効率で変異個体が作出可能であることが明らかとなった。
【００４２】
【表２】
0006780213.tif 000003
【００４３】
［まとめ］
従来は受精卵の特定の場所を狙って注入していたmRNAを、受精直後から胚盤ができる前の段階（好ましくは、例えば、ブリにおいては20℃で受精後0-20min程度の間、ブルーギルでは20-25℃で受精後0-20min程度の間）の受精卵の細胞質中にランダムに注入しても、その後多くの胚体でmRNAにコードされた蛋白質が発現することが明らかとなった。さらに人工ヌクレアーゼ（Cas9等）を発現するmRNAをガイドRNAと共に、受精直後から胚盤ができる前の段階の受精卵の細胞質中にランダムに注入したときには、胚体のゲノム（個体を形成する1組の全遺伝情報）に変異を高い割合（80％程度）で導入することができた。また、この発生段階に顕微注入した卵はその後のふ化率が、他の発生段階に比べて相対的に高く、卵へのストレスを比較的少なくできることが示唆された。一方、胚盤が完全に形成される直前の段階（ブリは20℃でおよそ受精後30min以降、ブルーギルでも20-25℃で30min以降）では注入ストレスに対する抵抗力が下がり、ふ化時の生残率が低くなる傾向が観察され、生残率の観点からはこの発生段階は注入を避けた方が良い可能性が示唆された。
【産業上の利用可能性】
【００４４】
本発明によれば、効率的に、大量の魚類の受精卵へ核酸を顕微注入することができ、また高い核酸導入効率を達成できる。一つ一つ注入前に卵の向きを変える必要がなく、特定の部位（胚盤等）を狙う必要がないため、短い作業時間で、容易に、多数の受精卵へ核酸を顕微注入することができる。特に、ブリ類の様な未熟な状態（体表や眼球への黒色素が見られず透明でかつ遊泳力もほとんどない仔魚の発達段階）でふ化する卵（受精後48-72時間程度でふ化する魚種に多い）については、ふ化後の生残率が低いため、顕微注入卵から発生した成魚を多数得ようとすると、極めて多数の顕微注入卵を容易する必要があったが、本発明においては、このような難生産性の魚種においても簡便かつ効率的に多数の顕微注入を確保することが可能となる。
【図１】
0006780213.tif 000004
【図２】
0006780213.tif 000005
【図３】
0006780213.tif 000006
【図４】
0006780213.tif 000007
【図５】
0006780213.tif 000008
【図６】
0006780213.tif 000009
【図７】
0006780213.tif 000010
【配列表】
0006780213000001.app